(57)【要約】      （修正有）【課題】高品質なサーボ信号を得ることができる光ヘッド装置、光情報処理装置及びフォーカスエラー信号検出方法を提供する。【解決手段】光ヘッド装置は、光ビームを出射する光源３０と、光ビームを情報記録媒体１０上に収束させる集光光学系と、情報記録媒体１０により反射された光ビームを回折させるホログラム素子２０と、ホログラム素子２０により回折させられた回折光を受光する複数の検出領域を有する受光素子４０とを備える。ホログラム素子２０は、情報記録媒体１０のトラック方向に延びる直線により区画された複数の回折領域２６１、２６２を有する。複数の回折領域のうちの少なくとも１つは、回折光に、トラック方向のコマ収差を与えるパターンを有する。【選択図】図１
2011086337.tif 000002
【特許請求の範囲】
【請求項１】
光ビームを出射する光源と、
前記光ビームを情報記録媒体上に収束させる集光光学系と、
前記情報記録媒体により反射された前記光ビームを回折させるホログラム素子と、
前記ホログラム素子により回折させられた回折光を受光する複数の検出領域を有する受光素子とを備え、
前記ホログラム素子は、前記情報記録媒体のトラック方向に延びる直線により区画された複数の回折領域を有し、
前記複数の回折領域のうちの少なくとも１つは、前記回折光に、前記トラック方向のコマ収差を与えるパターンを有することを特徴とする光ヘッド装置。
【請求項２】
請求項１において、
前記受光素子が有する前記複数の検出領域のうちの少なくとも一対の検出領域は、前記トラック方向に延びる分割線を挟み対向して配置され、
前記分割線上に、前記コマ収差を与えられた回折光が入射し、
前記一対の検出領域において検出した信号に基づいてフォーカスエラー信号を得ることを特徴とする光ヘッド装置。
【請求項３】
請求項２において、
前記複数の回折領域は、前記コマ収差を与えるパターンの回折領域の他に、前記情報記録媒体のラジアル方向に延びる直線により区画された一対の回折領域を含み、
前記受光素子が有する前記複数の検出領域は、前記ラジアル方向に延びる他の分割線を挟み対向して配置された他の一対の検出領域を含み、
前記他の一対の検出領域に、前記一対の回折領域により回折された回折光がそれぞれ入射し、
前記一対の検出領域及び前記他の一対の検出領域において検出した信号に基づいてトラッキングエラー信号を得ることを特徴とする光ヘッド装置。
【請求項４】
光ビームを出射する光源と、
前記光ビームを情報記録媒体上に収束させる集光光学系と、
前記情報記録媒体により反射された前記光ビームを回折させるホログラム素子と、
前記ホログラム素子により回折させられた回折光を受光する複数の検出領域を有する受光素子とを備え、
前記受光素子が有する前記複数の検出領域は、前記情報記録媒体のトラック方向に延びる第１の分割線を挟み対向して配置された第１の光検出領域及び第２の光検出領域と、前記トラック方向に延びる第２の分割線を挟み対向して配置された第３の光検出領域及び第４の光検出領域とを含み、
前記ホログラム素子は、前記トラック方向に延びる直線により区画された第１の回折領域及び第２の回折領域を有し、
前記第１の回折領域のパターンは、前記トラック方向のコマ収差を有し且つ前記第１の分割線上に収束する回折光を発生し、
前記第２の回折領域のパターンは、前記トラック方向のコマ収差を有し且つ前記第２の分割線上に収束する回折光を発生し、
前記第１の検出領域における信号と前記第２の検出領域における信号との差信号、及び、前記第３の検出領域における信号と前記第４の検出領域における信号との差信号に基づいてフォーカスエラー信号を得ることを特徴とする光ヘッド装置。
【請求項５】
光ビームを出射する光源と、
前記光ビームから１つのメインビーム及び２つのサブビームを生成する回折格子と、
前記メインビーム及び前記サブビームをそれぞれ情報記録媒体上に収束させる集光光学系と、
前記情報記録媒体により反射された前記メインビーム及び前記サブビームを回折させるホログラム素子と、
前記ホログラム素子により回折させられた回折光を受光する複数の検出領域を有する受光素子とを備え、
前記ホログラム素子は、前記情報記録媒体のトラック方向に延びる直線により区画された複数の回折領域を有し、
前記複数の回折領域のうちの少なくとも１つは、前記回折光に、前記トラック方向のコマ収差を与えるパターンを有することを特徴とする光ヘッド装置。
【請求項６】
請求項５において、
前記受光素子が有する前記複数の検出領域は、前記トラック方向に延びる第１の分割線を挟み対向して配置された第１の一対の検出領域と、前記第１の一対の検出領域に対して前記情報記録媒体のトラック方向に配置された第２の検出領域及び第３の検出領域を含み、
前記第１の一対の検出領域の前記第１の分割線上に、前記メインビームの前記コマ収差を与えられた回折光が入射し、
前記第１の一対の検出領域において検出した信号に基づいてフォーカスエラー信号を得ると共に、
前記第２の検出領域と前記第３の検出領域に、前記サブビームの回折光が入射し、
前記第２の検出領域と前記第３の検出領域において検出した信号に基づいてトラッキングエラー信号を得ることを特徴とする光ヘッド装置。
【請求項７】
情報記録媒体に光を照射することにより情報の記録及び再生を行なう光情報処理装置であって、
請求項１〜６のいずれか１つに記載の光ヘッド装置を備えることを特徴とする光情報処理装置。
【請求項８】
光ビームを出射する光源と、
前記光ビームを情報記録媒体上に収束させる集光光学系と、
前記情報記録媒体により反射された前記光ビームを回折させるホログラム素子と、
前記ホログラム素子により回折させられた回折光を受光する複数の検出領域を有する受光素子とを備える光ヘッド装置において、
前記ホログラム素子は、前記情報記録媒体のトラック方向に延びる直線により区画された複数の回折領域を有し、
前記複数の回折領域のうちの少なくとも１つは、前記回折光に、前記トラック方向のコマ収差を与えるパターンを有し、
前記受光素子が有する前記複数の検出領域のうちの少なくとも一対の検出領域は、前記トラック方向に延びる分割線を挟み対向して配置され、
前記分割線上に、前記コマ収差を与えられた回折光が入射し、
前記一対の検出領域において検出した信号に基づいてフォーカスエラー信号を得ることを特徴とするフォーカスエラー信号検出方法。
【請求項９】
光ビームを出射する光源と、
前記光ビームを情報記録媒体上に収束させる集光光学系と、
前記情報記録媒体により反射された前記光ビームを回折させるホログラム素子と、
前記ホログラム素子により回折させられた回折光を受光する複数の検出領域を有する受光素子とを備える光ヘッド装置において、
前記受光素子が有する前記複数の検出領域は、前記情報記録媒体のトラック方向に延びる第１の分割線を挟み対向して配置された第１の光検出領域及び第２の光検出領域と、前記トラック方向に延びる第２の分割線を挟み対向して配置された第３の光検出領域及び第４の光検出領域とを含み、
前記ホログラム素子は、前記トラック方向に延びる直線により区画された第１の回折領域及び第２の回折領域を有し、
前記第１の回折領域のパターンは、前記トラック方向のコマ収差を有し且つ前記第１の分割線上に収束する回折光を発生し、
前記第２の回折領域のパターンは、前記トラック方向のコマ収差を有し且つ前記第２の分割線上に収束する回折光を発生し、
前記第１の検出領域における信号と前記第２の検出領域における信号との差信号、及び、前記第３の検出領域における信号と前記第４の検出領域における信号との差信号に基づいてフォーカスエラー信号を得ることを特徴とするフォーカスエラー信号検出方法。
【発明の詳細な説明】
【技術分野】
【０００１】
本発明は、光ディスク、光カード等の光媒体上に記憶される情報の記録、再生、消去を行う光ヘッド装置、該光ヘッド装置を備える光情報処理装置及びフォーカスエラー信号検出方法に関するものである。
【背景技術】
【０００２】
現在、光ディスクは情報を記録・再生できる光情報記録媒体として広く普及している。
【０００３】
例えば、再生専用の媒体としては、ＣＤ−ＲＯＭ、ＤＶＤ−ＲＯＭ、ＤＶＤ−Ｖｉｄｅｏ等があり、記録用の媒体としては、ＣＤ−Ｒ、ＣＤ−ＲＷ、ＤＶＤ−Ｒ等がある。従来このような各光種情報記録媒体を再生する技術が開発され、更にその簡略化やコストダウンが進められている。
【０００４】
このような光情報記録媒体の再生用光ヘッド装置として、例えば、特許文献１に開示の技術が提案されている（以下、従来例１と称する）。
【０００５】
以下に従来例１の構成について、その概略を示す図１７を参照して説明する。この光ヘッド装置においては、半導体レーザ１３０がレーザ光線を出射し、ホログラム素子１２０を通過した前記レーザ光線をコリメートレンズ１１１が平行光束とする。平行光束は対物レンズ１１２により光ディスク１１０上に合焦させられる。光ディスク１１０により反射されたレーザ光は再び対物レンズ１１２、コリメートレンズ１１１を経て、ホログラム素子１２０によって回折させられて光検出器１４０に到達する。尚、図１７において、光ディスク１１０のラジアル方向をｘ方向、トラック方向をｙ方向、これら２方向に直交する方向をｚ方向と表す。
【０００６】
次に、図１８を参照して、ホログラム素子１２０と光検出器１４０とについて詳細を説明する。
【０００７】
ホログラム素子１２０は、光ディスク１１０のトラック方向（ｙ方向）に略平行となる分割線Ｂ１２１と、光ディスク１１０のラジアル方向（ｘ方向）に略平行となる分割線Ｂ１２２とにより４分割された４種類の回折領域１２３Ａ、１２３Ｂ、１２３Ｃ及び１２３Ｄを備えている。
【０００８】
また、光検出器１４０は、いずれも矩形状であり、ホログラム素子１２０の回折方向（ｙ方向）にほぼ沿った方向の分割線Ｂ１４１、Ｂ１４２によりそれぞれ分割されて２対になった２分割受光領域Ｓ４１及びＳ４２と、Ｓ４３及びＳ４４とを備えると共に、その他の矩形領域Ｓ４５及びＳ４６を備えている。
【０００９】
合焦状態のとき、ホログラム素子１２０の分割領域１２３Ａで回折された光は分割線Ｂ１４１上にスポットＰ１０１、分割領域１２３Ｂで回折された光は分割線Ｂ１４２上にスポットＰ１０２、分割領域１２３Ｃで回折された光は受光領域Ｓ４５上にスポットＰ１０３、分割領域１２３Ｄで回折された光は受光領域Ｓ４６上にＰ１０４をそれぞれ形成する。
【００１０】
この例では、フォーカスサーボ信号検出にナイフエッジ法を用い、次の演算によってフォーカスサーボ信号が生成される。尚、phase（）は位相比較である。
【００１１】
ＦＥ＝（Ｓ４１＋Ｓ４４）−（Ｓ４２＋Ｓ４３）  …（式１）
また、トラッキングサーボ信号検出として位相差法（ＤＰＤ法）を用いる場合は、次の演算によってトラッキングサーボ信号が生成される。
【００１２】
ＴＥ（ＤＰＤ）＝phase（Ｓ４１＋Ｓ４２＋Ｓ４５、Ｓ４３＋Ｓ４４＋Ｓ４６）  …（式２）
また、相変化ディスク等の連続したトラックが形成されているディスクにおいて、トラッキングサーボ信号生成のためにプッシュプル信号を検出する場合は、次の演算によってプッシュプル信号が生成される。
【００１３】
ＴＥ（ＰＰ）＝（Ｓ４１＋Ｓ４２＋Ｓ４６）−（Ｓ４３＋Ｓ４４＋Ｓ４５）  …（３）
ここで、（式１）、（式２）、（式３）におけるＳ４１、Ｓ４２、Ｓ４３、Ｓ４４、Ｓ４５及びＳ４６は、図１８に示すそれぞれの受光領域によって得られる光信号の強度である。
【００１４】
次に、従来例１とは異なるフォーカスサーボ信号検出として、スポットサイズ法（ＳＳＤ法）を用いる記録再生用光ヘッド装置が特許文献２において提案されている（以下、従来例２と称する）。
【００１５】
以下に従来例２の構成について説明する。図１９は、この光ヘッド装置の概略構成を示す。この光ヘッド装置においては、半導体レーザ１３０が記録・再生用のレーザ光線を出射し、該レーザ光線をコリメートレンズ１１１が平行光束とする。平行光束となったレーザ光を、回折格子１２４が１本のメインビームと２本のサブビームに回折させる。但し、図１９では光の経路だけを示しており、メインビーム及びサブビームを個々には示していない。
【００１６】
これら３本のビームは偏光ビームスプリッタ１１５を透過した後にミラー１１９により光ディスク１１０の方向に向けられ、１／４波長板１１６によって直線偏光を円偏光に変換される。更に、３本のビームは対物レンズ１１２により光ディスク１１０上に合焦させられる。光ディスク１１０により反射されたレーザ光は再び対物レンズ１１２、１／４波長板１１６、ミラー１１９を経て偏光ビームスプリッタ１１５により光検出器１４０の方向に反射される。反射光は検出レンズ１１３により集光され、更にホログラム素子１２０によって回折させられて光検出器１４０に到達する。
【００１７】
ホログラム素子１２０は、図２０に示すように円板状であり、その中央に１本の分割線Ｂ１２３が通っている。分割線Ｂ１２３の方向は、光ディスク１１０から反射されてくるビームの光束パターンにおける光ディスク１１０のトラック方向（ｙ方向）と略平行になるように設定されている。また、分割線Ｂ１２３の両側（図２０では左右）には、それぞれ円弧状の格子を有する２種類の回折領域１２４Ａ及び１２４Ｂが形成されている。
【００１８】
従って、３つのビーム（１本のメインビームと２本のサブビーム）は、それぞれ上記分割線Ｂ１２３を跨ぐようにして入射し、その結果として少なくとも１２本の±１次回折光が形成されるようになっている。
【００１９】
これらの±１次回折光を受ける上記光検出器１４０は、図２１に示すような受光面を有している。この例では、フォーカス検出にスポットサイズ法（ＳＳＤ法）、トラッキング検出に位相差法（ＤＰＤ法）及び差動プッシュプル法（ＤＰＰ法）を使用する場合を示している。
【００２０】
すなわち、この受光面は、中心線を対称軸として左右に２個ずつ３段に配列した１２個の光検出領域Ｓ１４〜Ｓ２５を備え、その各々は上記１２個の±１次回折光が到達する位置に対応するように配置されている。
【００２１】
中段の４つの光検出領域Ｓ１８〜Ｓ２１は、メインビームＳＰ１によるスポットに対応しており、フォーカス検出とＤＰＤ検出とを行なう。
【００２２】
上段及び下段の光検出領域Ｓ１４〜Ｓ１７及びＳ２２〜Ｓ２５は、２つのサブビームＳＰ２、ＳＰ３による光スポットにそれぞれ対応しており、ＤＰＰ検出を行なうためのものである。
【００２３】
また、中段の各光検出領域Ｓ１８〜Ｓ２１は、いずれも水平方向に４つに分割されてそれぞれ４つのセルを形成している。従って、受光面全体では２４の分割領域が存在することになる。
【００２４】
更に、ホログラム素子１２０における一方の回折領域１２４Ａを通過する光は、４列ある光検出領域のうちの外側の２列の光検出領域Ｓ１４、Ｓ１８及びＳ２２と、Ｓ１７、Ｓ２１及びＳ２５とに入射するように、また、他方の回折領域１２４Ｂを通過する光は、内側の２列の光検出領域Ｓ１５、Ｓ１９及びＳ２３と、Ｓ１６、Ｓ２０及びＳ２４とに入射するように、それぞれホログラム素子１２０のピッチ及びパターンが設定されている。
【００２５】
この例では、サーボエラー信号のフォーカスエラー信号はＳＳＤ法ＦＥ（ＳＳＤ）により検出し、また、トラッキングエラー信号はＤＰＤ法ＴＥ（ＤＰＤ）とＤＰＰ法ＴＥ（ＤＰＰ）（メインプッシュプルＴＥ（ＭＰＰ）とサブプッシュプルＴＥ（ＳＰＰ）の演算）とにより検出し、次の演算によって生成される。
【００２６】
ＦＥ（ＳＳＤ）＝（Ｂ＋Ｃ＋Ｆ＋Ｇ）−（Ａ＋Ｄ＋Ｅ＋Ｈ）
ＴＥ（ＤＰＤ）＝phase（Ａ＋Ｂ、Ｅ＋Ｆ）＋phase（Ｃ＋Ｄ、Ｇ＋Ｈ）
ＴＥ（ＭＰＰ）＝（Ａ＋Ｂ＋Ｃ＋Ｄ）−（Ｅ＋Ｆ＋Ｇ＋Ｈ）
ＴＥ（ＳＰＰ）＝Ｉ−Ｊ
ＴＥ（ＤＰＰ）＝ＴＥ（ＭＰＰ）−Gain（ＴＥ（ＳＰＰ））
ここで、phase（）は位相比較、Gain（）は所定の係数を表す。また、Ａ、Ｂ、Ｃ、Ｄ、Ｅ、Ｆ、Ｇ、Ｈ、Ｉ、Ｊは、図２１に示す受光面によって得られる光信号の強度である。これらは、図２１に示す各光検出領域の記号を用いて、次のように表される。つまり、Ａ＝Ａ１＋Ａ２、Ｂ＝Ｂ１＋Ｂ２、Ｃ＝Ｃ１＋Ｃ２、Ｄ＝Ｄ１＋Ｄ２、Ｅ＝Ｅ１＋Ｅ２、Ｆ＝Ｆ１＋Ｆ２、Ｇ＝Ｇ１＋Ｇ２、Ｈ＝Ｈ１＋Ｈ２、Ｉ＝Ｉ１＋Ｉ２＋Ｉ３＋Ｉ４、Ｊ＝Ｊ１＋Ｊ２＋Ｊ３＋Ｊ４である。
【先行技術文献】
【特許文献】
【００２７】
【特許文献１】特開平１０−２６９５８８号公報
【特許文献２】特開２００１−２２９５７３号公報
【発明の概要】
【発明が解決しようとする課題】
【００２８】
ところで、上記従来例１の再生用光ヘッド装置によると、合焦状態において、フォーカスサーボ検出用スポットは、ほぼ回折限界近くまで小さなスポット径となって受光素子の受光領域における分割線上に集光する。このため、波長シフト、組立公差等の誤差要因があった場合、分割線を挟んで対向した受光領域の片側のみにほぼ集光する状態になりやすい。この結果、フォーカスサーボ信号に大きなオフセットが発生しやすくなるという問題がある。
【００２９】
また、受光領域数が６個（図１８を参照）あるため、各々の受光領域に対してアンプ回路が必要となる。この結果、アンプノイズの増加による再生信号の劣化、回路オフセットによるサーボ信号の劣化等が問題となる。また、使用する集積回路の回路規模も大きくなり、コストが高くなるという問題もある。
【００３０】
また、フォーカスサーボ信号は、ホログラム素子に形成された回折領域の略半分の領域（回折領域１２４Ｂ）からの回折光に基づいて得られるが、Ｓ／Ｎ比の観点からは、ホログラム素子に形成された回折領域の全ての領域からの回折光に基づいて得ることが好ましい。
【００３１】
一方、上記従来例２の記録再生用光ヘッド装置においても、受光領域数増大について上記従来例１に対して述べた問題と同様の問題が発生する。例えば再生用途のとき、トラッキングサーボ検出信号としてＤＰＤ信号、フォーカスサーボ信号検出としてＳＳＤ信号のみについて、図２１における中心線に対して片側のみの受光群を使用して検出したとしても、必要な受光領域数はＡ１〜Ｈ１の８個である。
【００３２】
また、例えば図１９の構成に代えて、光学系簡素化を目的として、従来例２のホログラムパターンと受光パターン（図２０、図２１）を利用して図１７のような構成の光ヘッド装置を作製する場合を考える。ここで、良質なＲＦ信号を得るためには、使用する光源としての半導体レーザにおける放射角の広い方向が情報記録媒体のトラック方向と平行な方向になるように配置する必要がある。このため、図２１における中心線に対して左側の受光領域群のみを使用することにしたとしても、スポットを必要な形に配置するためには図２２のようにＬ字型の保持手段７４１が必要となり、保持手段の加工コストが増大してしまう問題もある。
【００３３】
このように、ホログラム素子に形成された回折領域の全てをフォーカスエラー信号の生成に使用でき且つＬ字型等の高コストな保持手段が不要な構成は知られていない。
【００３４】
更に、従来例２の構成により２層の記録層を有する光情報記録媒体を用いる場合には、以下の問題が発生する。
【００３５】
２層の光情報記録媒体は、媒体の厚さ方向に２層の記録層を備えている。また、光ヘッド装置に近い側である第１の記録層は半透明の記録層である。光ヘッド装置は、第１の記録層と第２の記録層とではフォーカスを変えることにより、両層について記録又は再生を行なうことができる。
【００３６】
このような２層の光情報記録媒体を従来の光ヘッド装置において用いると、トラッキング信号を検出する際に問題が発生する。具体的には、トラッキング用のサブプッシュプル信号が乱れる。この原因は、合焦されていない側の記録層からの反射光がデフォーカス光として光検出器１４０の検出領域に被さってしまうことである。
【００３７】
図２３及び図２４に、その様子を示す。図２３は、２層光情報記録媒体のうち、光ヘッド装置から遠い第１の情報記録層１８１に合焦しているときの様子を示す。光検出器１４０上の検出領域には、合焦された第１の情報記録層１８１からの集光ビームの他に、合焦されていない他方であるオフフォーカス層（非記録再生層、具体的には第２の情報記録層１８２）からのデフォーカス光が入射する。デフォーカス光は、第２の情報記録層１８２の記録部１８２ａと未記録部１８２ｂとの境界を跨いで通過するとき、光量のアンバランスに起因してトラッキングエラー信号に特に影響を及ぼす。この際、３ビームのうち、サブビームよりも光量の大きいメインビームのデフォーカス光が主な要因となる。尚、図２３において、第２の情報記録層１８２による非記録再生層迷光が記録部１８２ａによる記録部反射光と、未記録部１８２ｂによる未記録部反射光とを含むことが示されている。
【００３８】
図２４に、メインビームのデフォーカス光が各光検出領域を覆うように入射している様子を示す。メインビームのデフォーカス光は、ＴＥ（ＭＰＰ）を生成する光検出領域Ｓ１８、Ｓ１９、Ｓ２０及びＳ２１からはみ出し、ＴＥ（ＳＰＰ）を生成する光検出領域Ｓ１４、Ｓ１５、Ｓ１６、Ｓ１７、Ｓ２２、Ｓ２３、Ｓ２４及びＳ２５にまで入射している。
【００３９】
通常、ＴＥ（ＳＰＰ）信号を生成する光検出領域のゲインは、ＴＥ（ＭＰＰ）を生成する光検出領域のゲインよりも大きく設定されている。このため、デフォーカス光はＴＥ（ＳＰＰ）に強く影響を及ぼす。
【００４０】
デフォーカス光が第２の情報記録層１８２の記録部１８２ａと未記録部１８２ｂとを跨いで通過するときのＴＥ（ＳＰＰ）信号を図２５に示す。但し、ＡＣ信号のない場合を示している。
【００４１】
このように、記録部と未記録部を跨いで通過するときＴＥ（ＳＰＰ）信号がふらついてしまい、安定したトラッキングエラー信号を生成することができない。このことが問題の一つである。尚、以上とは逆に第２の情報記録層１８２に合焦している場合、第１の情報記録層１８１からの反射光により同様の問題が発生する。
【００４２】
以上の課題に鑑みて、本発明の目的は、より正確で且つ安定した再生又は記録を実現するフォーカス／トラッキング誤差信号の検出を可能とする低コストな光ヘッド装置を提供することである。
【課題を解決するための手段】
【００４３】
前記の目的を達成するため、本発明に係る第１の光ヘッド装置は、光ビームを出射する光源と、光ビームを情報記録媒体上に収束させる集光光学系と、情報記録媒体により反射された光ビームを回折させるホログラム素子と、ホログラム素子により回折させられた回折光を受光する複数の検出領域を有する受光素子とを備え、ホログラム素子は、情報記録媒体のトラック方向に延びる直線により区画された複数の回折領域を有し、複数の回折領域のうちの少なくとも１つは、回折光にトラック方向のコマ収差を与えるパターンを有する。
【００４４】
尚、受光素子が有する複数の検出領域のうちの少なくとも一対の検出領域は、トラック方向に延びる分割線を挟み対向して配置され、分割線上に、コマ収差を与えられた回折光が入射し、一対の検出領域において検出した信号に基づいてフォーカスエラー信号を得ることが好ましい。
【００４５】
このような光ヘッド装置によると、ホログラム素子が回折光にコマ収差を与えるパターンを備えることから、合焦状態においても受光素子上のスポットはある程度のスポット径を有する。このため、波長シフトや組立公差等の誤差要因があった場合にも、検出信号の急激な変化を抑制することができ、フォーカスサーボ信号のオフセット等を低減できる。
【００４６】
また、受光領域を少なくすることができるため、アンプノイズ、回路オフセット等が少ないサーボ信号を得ることができる。これに加えて、使用する集積回路の回路規模を小さくできると共に、使用する光源及び光検出器の保持手段の形状を簡略化することができ、コストを低減できる。
【００４７】
また、複数の回折領域は、コマ収差を与えるパターンの回折領域の他に、情報記録媒体のラジアル方向に延びる直線により区画された一対の回折領域を含み、受光素子が有する複数の検出領域は、ラジアル方向に延びる他の分割線を挟み対向して配置された他の一対の検出領域を含み、他の一対の検出領域に、一対の回折領域により回折された回折光がそれぞれ入射し、一対の検出領域及び他の一対の検出領域において検出した信号に基づいてトラッキングエラー信号を得るようにしても良い。
【００４８】
このようにすると、コマ収差を与えるパターンの回折領域の他に、ラジアル方向の直線により区画された一対の回折領域を利用してトラッキングエラー信号を得る構成の光ヘッド装置とすることができる。
【００４９】
前記の目的を達成するため、本発明の第２の光ヘッド装置は、光ビームを出射する光源と、光ビームを情報記録媒体上に収束させる集光光学系と、情報記録媒体により反射された光ビームを回折させるホログラム素子と、ホログラム素子により回折させられた回折光を受光する複数の検出領域を有する受光素子とを備え、受光素子が有する複数の検出領域は、情報記録媒体のトラック方向に延びる第１の分割線を挟み対向して配置された第１の光検出領域及び第２の光検出領域と、トラック方向に延びる第２の分割線を挟み対向して配置された第３の光検出領域及び第４の光検出領域とを含み、ホログラム素子は、トラック方向に延びる直線により区画された第１の回折領域及び第２の回折領域を有し、第１の回折領域のパターンは、トラック方向のコマ収差を有し且つ第１の分割線上に収束する回折光を発生し、第２の回折領域のパターンは、トラック方向のコマ収差を有し且つ第２の分割線上に収束する回折光を発生し、第１の検出領域における信号と第２の検出領域における信号との差信号、及び、第３の検出領域における信号と第４の検出領域における信号との差信号に基づいてフォーカスエラー信号を得る。
【００５０】
第２の光ヘッド装置も、第１の光ヘッド装置と同様の効果を有する。更に、第２の光ヘッド装置の場合、ホログラム素子に形成された回折領域の全ての領域からの回折光に基づいてフォーカスサーボ信号を生成することができ、これはＳ／Ｎ比の観点から望ましい。
【００５１】
前記の目的を達成するため、本発明の第３の光ヘッド装置は、光ビームを出射する光源と、光ビームから１つのメインビーム及び２つのサブビームを生成する回折格子と、メインビーム及びサブビームをそれぞれ情報記録媒体上に収束させる集光光学系と、情報記録媒体により反射されたメインビーム及びサブビームを回折させるホログラム素子と、ホログラム素子により回折させられた回折光を受光する複数の検出領域を有する受光素子とを備え、ホログラム素子は、情報記録媒体のトラック方向に延びる直線により区画された複数の回折領域を有し、複数の回折領域のうちの少なくとも１つは、回折光に、トラック方向のコマ収差を与えるパターンを有する。
【００５２】
尚、受光素子が有する複数の検出領域は、トラック方向に延びる第１の分割線を挟み対向して配置された第１の一対の検出領域と、第１の一対の検出領域に対して情報記録媒体のトラック方向に配置された第２の検出領域と第３の検出領域を含み、第１の一対の検出領域の前記第１の分割線上に、メインビームのコマ収差を与えられた回折光が入射し、第１の一対の検出領域において検出した信号に基づいてフォーカスエラー信号を得ると共に、第２の検出領域と第３の検出領域に、サブビームの回折光が入射し、第２の検出領域と第３の検出領域において検出した信号に基づいてトラッキングエラー信号を得ることが好ましい。
【００５３】
第３の光ヘッド装置も、第１の光ヘッド装置と同様の効果を有する。また、光源からメインビームとサブビームを生成し、それぞれフォーカスエラー信号及び再生・記録を可能とするトラッキングエラー信号を得るために用いることができる。更に、複数の情報記録層を有する情報記録媒体に対して、より正確で且つ安定した再生・記録を可能とするトラッキングエラー信号を検出することも可能となる。
【００５４】
前記の目的を達成するため、本発明に係る光情報処理装置は、情報記録媒体に光を照射することにより情報の再生もしくは記録を行なう光情報処理装置であって、本発明に係るいずれかの光ヘッド装置を備える。
【００５５】
本発明の光情報処理装置によると、多層の情報記録媒体を用いる場合にも安定してフォーカスエラー信号等の検出が行えることから、より安定した記録・再生が可能である。
【００５６】
前記の目的を達成するため、本発明に係る第１のフォーカスエラー信号検出方法は、光ビームを出射する光源と、光ビームを情報記録媒体上に収束させる集光光学系と、情報記録媒体により反射された光ビームを回折させるホログラム素子と、ホログラム素子により回折させられた回折光を受光する複数の検出領域を有する受光素子とを備える光ヘッド装置において、ホログラム素子は、情報記録媒体のトラック方向に延びる直線により区画された複数の回折領域を有し、複数の回折領域のうちの少なくとも１つは、回折光にトラック方向のコマ収差を与えるパターンを有し、受光素子が有する複数の検出領域のうちの少なくとも一対の検出領域は、トラック方向に延びる分割線を挟み対向して配置され、分割線上に、コマ収差を与えられた回折光が入射し、一対の検出領域において検出した信号に基づいてフォーカスエラー信号を得る。
【００５７】
また、本発明の第２のフォーカスエラー信号検出方法は、光ビームを出射する光源と、光ビームを情報記録媒体上に収束させる集光光学系と、情報記録媒体により反射された光ビームを回折させるホログラム素子と、ホログラム素子により回折させられた回折光を受光する複数の検出領域を有する受光素子とを備える光ヘッド装置において、受光素子が有する複数の検出領域は、情報記録媒体のトラック方向に延びる第１の分割線を挟み対向して配置された第１の光検出領域及び第２の光検出領域と、トラック方向に延びる第２の分割線を挟み対向して配置された第３の光検出領域及び第４の光検出領域とを含み、ホログラム素子は、前記トラック方向に延びる直線により区画された第１の回折領域及び第２の回折領域を有し、第１の回折領域のパターンは、トラック方向のコマ収差を有し且つ第１の分割線上に収束する回折光を発生し、第２の回折領域のパターンは、トラック方向のコマ収差を有し且つ第２の分割線上に収束する回折光を発生し、第１の検出領域における信号と第２の検出領域における信号との差信号、及び、第３の検出領域における信号と第４の検出領域における信号との差信号に基づいてフォーカスエラー信号を得る。
【００５８】
本発明のフォーカスエラー信号検出方法によると、光ヘッド装置に関して説明したのと同様に、ホログラム素子のパターンにコマ収差を与えていることから、波長シフトや組立公差などの誤差要因に対するフォーカスサーボ信号のオフセットを低減できる。また、アンプノイズや回路オフセットが少ないサーボ信号が得られること、集積回路の回路規模を小さくでき、使用する光源と光検出器の保持手段の形状を簡略化することができる点についても同様である。
【発明の効果】
【００５９】
本発明の光ヘッド装置によると、ホログラム素子のパターンにコマ収差を与えているため、誤差要因に対するフォーカスサーボ信号のオフセットを低減できる。また、アンプノイズや回路オフセットが少ないサーボ信号を得ることができる。また、集積回路の回路規模を小さくでき、光源と光検出器の保持手段の形状を簡略化することができるため、コストを低減できる。
【００６０】
加えて、ホログラム素子に形成された回折領域の全ての領域からの回折光からフォーカスエラー信号を生成することができる。また、光源からメインビームとサブビームを生成し、それぞれフォーカスエラー信号及び再生・記録を可能とするトラッキングエラー信号を得るために用いること、複数の情報記録層を有する情報記録媒体に対して、より正確で且つ安定した再生・記録を可能とするトラッキングエラー信号を検出することも可能となる。
【図面の簡単な説明】
【００６１】
【図１】図１は、本発明の第１の実施形態における光ヘッド装置の要部構成を例示する図である。
【図２】図２は、本発明の第１の実施形態におけるホログラム素子を例示する平面図である。
【図３】図３は、本発明の第１の実施形態における光検出器を例示する平面図である。
【図４】図４（ａ）〜（ｅ）は、本発明の第１の実施形態における光検出器上のスポットダイアグラムを例示する図である
【図５】図５は、本発明の第１の実施形態におけるフォーカスエラー信号を例示する図である。
【図６】図６は、本発明の第２の実施形態における光ヘッド装置の要部構成を例示する図である。
【図７】図７は、本発明の第２の実施形態におけるホログラム素子を例示する平面図である。
【図８】図８は、本発明の第２の実施形態における光検出器を例示する平面図である。
【図９】図９は、本発明の第３の実施形態における光ヘッド装置の要部構成を例示する図である。
【図１０】図１０は、本発明の第３の実施形態における光検出器を例示する平面図である。
【図１１】図１１は、２層の情報記録層を有する光情報記録媒体と、それにより反射される光について例示する図である。
【図１２】図１２は、本発明の第３の実施形態における光検出器上の迷光を例示する図である。
【図１３】図１３は、本発明の第３の実施形態におけるサブプッシュプル信号の変動を例示する図である。
【図１４】図１４は、本発明の第４の実施形態における光ヘッド装置の要部構成を示す図である。
【図１５】図１５は、本発明の第４の実施形態における光検出器を例示する平面図である。
【図１６】図１６は、本発明の第４の実施形態における光検出器上の迷光を例示する図である。
【図１７】図１７は、従来例１の光ヘッド装置の構成を示す図である。
【図１８】図１８は、従来例１の光ヘッド装置におけるホログラム素子と光検出器を示す図である。
【図１９】図１９は、従来例２の光ヘッド装置の構成を示す図である。
【図２０】図２０は、従来例２の光ヘッド装置におけるホログラム素子を示す図である。
【図２１】図２１は、従来例２の光ヘッド装置における光検出器を示す図である。
【図２２】図２２は、従来の光ヘッド装置の構成に関する説明図である。
【図２３】図２３は、２層の情報記録層を有する光情報記録媒体と、それにより反射される光について示す図である。
【図２４】図２４は、従来例２の光ヘッド装置において、２層の情報記録層を有する光情報記録媒体からの反射光と光検出器を示す図である。
【図２５】図２５は、従来の光ヘッド装置におけるサブプッシュプル信号の変動を表す図である。
【発明を実施するための形態】
【００６２】
以下、本発明を実施するための最良の形態について、図面を参照しながら詳細に説明する。
【００６３】
（第１の実施形態）
図１は、本発明の第１の実施形態における例示的光ヘッド装置の構成を模式的に示した図である。
【００６４】
該光ヘッド装置において、発光点Ｐ０を有する半導体レーザ３０と、光検出器４０とが保持手段７４１に固定されている。また、回折領域２６１及び２６２を備えるホログラム素子２０が設けられ、該ホログラム素子２０は、保持手段７４１に対し、他の保持手段（図示省略）によって所定の位置関係に固定されている。
【００６５】
ここで、他の保持手段は、光ヘッド装置の光学台であっても良い。しかし、光学台とは別の保持部材を用い、ホログラム素子２０、半導体レーザ３０及び光検出器４０を一体化するユニットを構成するのであっても良い。このようなユニットを用いると、光学系をより安定に構成することができる。
【００６６】
また、光ヘッド装置はコリメートレンズ１１及び対物レンズ１２を備え、半導体レーザ３０が出射するレーザ光（光線Ｌ０）を情報記録媒体である光ディスク１０に集光させる集光光学系を構成している。更に、光ヘッド装置は、対物レンズの光軸方向（Ｚ方向）及び光ディスク１０のラジアル方向（Ｘ方向）に対物レンズを駆動変位させるレンズ駆動機構（図示省略）を備えている。
【００６７】
以下、特にことわりのない限り、図１中に示す通り、集光光学系の光軸の方向をＺ方向、光ディスク１０の径方向（ラジアル方向）をＸ方向、光ディスク１０のトラック方向（タンジェンシャル方向）をＹ方向とする。尚、光ヘッド装置の光学系において、ミラー、プリズム等を用いて光軸を折り曲げた場合にも、光軸及び光ディスク１０の写像を基準に方向を定義する。
【００６８】
次に、本実施形態の光ヘッド装置において半導体レーザ３０が出射するレーザ光について説明する。半導体レーザ３０から出射された光線Ｌ０は、ホログラム素子２０の回折領域２６１及び２６２を透過した後、コリメートレンズ１１及び対物レンズ１２により、光ディスク１０の情報記録面上に集光される。更に、光ディスク１０により反射された反射光は、対物レンズ１２及びコリメートレンズ１１により半導体レーザ３０の発光点Ｐ０に収束する光に変換される。このように変換された光は、ホログラム素子２０に入射して回折領域２６１及び２６２により回折させられる。回折させられた光は光検出器４０に入射し、信号として検出される。
【００６９】
次に、ホログラム素子２０に備えられた回折領域２６１及び２６２と、光検出器４０について詳細を説明する。図２は、ホログラム素子２０に備えられた回折領域２６１及び２６２を示し、図３は、光検出器４０の構成を示す。また、図２及び図３に示されているＸ軸、Ｙ軸及びＺ軸は、いずれも図１に示す３軸と同じである。
【００７０】
図２に示すように、ホログラム素子２０は、光線Ｌ０のほぼ中心（集光光学系の光軸）を通る位置であり且つＹ軸に略平行な直線２６０ａにより２つに区画された回折領域２６１及び回折領域２６２を備えている。これらの格子パターンは前述のように半導体レーザ３０から出射された光をそのまま透過させると共に、光ディスク１０にて反射された戻り光を光検出器４０に向けて回折させるものとなっている。更に、回折領域２６１及び回折領域２６２は互いに異なる格子パターンを有しており、回折領域２６１及び２６２による回折光は、光検出器４０に対し、それぞれ相対的にＹ方向のマイナス側及びプラス側に入射するようになっている（図１を参照）。
【００７１】
この一方、光検出器４０は、図３に示す通り、Ｙ方向に並ぶ光検出領域群４５１及び光検出領域群４５２を有している。
【００７２】
光検出領域群４５１は、Ｙ軸にほぼ平行な第１の分割線４６１を挟んで向かい合うように配置された光検出領域４５１ａ及び光検出領域４５１ｂを備えている。また、光検出領域群４５２は、やはりＹ軸にほぼ平行な第２の分割線４６２を挟んで対向するように配置された光検出領域４５２ａ及び光検出領域４５２ｂを備えている。
【００７３】
前述の回折領域２６１の格子パターンは、該格子パターンに入射する光ディスク１０からの戻り光が、光検出領域群４５１における第１の分割線４６１を跨いで（光検出領域４５１ａ及び４５１ｂに）入射するように回折させる。また、該格子パターンは、戻り光を回折させて、Ｙ方向のコマ収差をもって光検出領域群４５１に入射するスポット６０１ａを形成する。
【００７４】
このとき、光検出領域４５１ａにおいて検出される光は、主として図２におけるＹ軸のプラス側寄りの光であり、光検出領域４５１ｂにおいて検出される光は、主として図２におけるＹ軸のマイナス側寄りの光である。
【００７５】
同様に、回折領域２６２の格子パターンは、該格子パターンに入射する光ディスク１０からの戻り光が、光検出領域群４５２における第２の分割線４６２を跨いで（光検出領域４５２ａ及び４５２ｂに）入射するように回折させる。更に、該格子パターンは、戻り光を回折させて、Ｙ方向であり且つ回折領域２６１の極性とは逆のコマ収差をもって光検出領域群４５２に入射するスポット６０２ａを形成する。
【００７６】
このとき、光検出領域４５２ａにおいて検出される光は、主として図２におけるＹ軸のプラス側の光であり、光検出領域４５２ｂにおいて検出される光は、主として図２におけるＹ軸のマイナス側の光である。
【００７７】
以上から、光検出領域４５１ａ、４５１ｂ、４５２ａ及び４５２ｂを、後述する通り、ＤＰＤ法によるトラッキングエラー信号の検出に利用することができる。
【００７８】
また、ホログラム素子のパターンにコマ収差を与えているため、合焦状態においても、受光素子上においてスポット６０１ａ及びスポット６０２ａはある程度のスポット径を有することになる。このため、波長シフト、組立公差等の誤差要因によりスポット位置がシフトした場合にも、急激な光検出信号の変化を抑制することができ、フォーカスサーボ信号のオフセットを低減できる効果がある。
【００７９】
次に、フォーカスエラー信号及びトラッキングエラー信号の検出方法について説明する。本実施形態の光ヘッド装置において、フォーカスエラー信号ＦＥについては後に詳述する方法に基づき、（式４）の演算により算出する。また、トラッキングエラー信号として、ＤＰＤ法によるトラッキングエラー信号ＴＥDPD は、次の各式の演算により生成される。
【００８０】
ＦＥ    ＝（Ｂ＋Ｄ）−（Ａ＋Ｃ）      ……  （式４）
ＴＥDPD ＝phase （Ｂ，Ｃ）−phase （Ａ，Ｄ）  ……  （式５）
ここで、Ａ，Ｂ，Ｃ，Ｄは、図３に示す各光検出領域において検出される信号に対応する。具体的には、Ａは光検出領域４５１ｂ、Ｂは光検出領域４５１ａ、Ｃは光検出領域４５２ａ、Ｄは光検出領域４５２ｂにおいて検出される信号である。
【００８１】
また、ＤＶＤ−ＲＯＭ等の凹凸ピットではなく、相変化ディスク等の連続したトラックが形成されているディスクにおいては、下記式３の演算によりプッシュプル法によるトラッキングエラー信号ＴＥPPも検出できる。
【００８２】
ＴＥPP  ＝（Ａ＋Ｂ）−（Ｃ＋Ｄ）      ……  （式６）
また、光ディスク１０に記録された情報を読み取る信号である信号ＲＦは、次式にて与えられる。
【００８３】
ＲＦ＝Ａ＋Ｂ＋Ｃ＋Ｄ                  ……  （式７）
（式４）、（式５）、（式６）から分かるように、再生用サーボ信号に必要なＦＥ信号、ＤＰＤ信号及びＰＰ信号を検出するために必要な検出領域は、光検出領域４５１ａ、４５１ｂ、４５２ａ及び４５２ｂの４個である。つまり、従来は６個から８個必要であったのに比べ、少ない領域数で同様の機能を実現できる。このため各々の検出領域に対して必要なアンプ回路の数を削減（場合によっては半減）できるため、アンプノイズを低減すると共に回路オフセットも抑えることができ、良好な再生信号及びサーボ信号を得ることができる。また、使用する集積回路の回路規模も小さくでき、安価な光ヘッドが実現できる。
【００８４】
また、良質なＲＦ信号を得るためには、使用する光源としての半導体レーザにおける放射角の広い方向が情報記録媒体のトラック方向と平行な方向になるように配置する必要がある。この点に関し、本実施形態によれば、光源（半導体レーザ３０）及び光検出器４０の保持手段の構成をＬ字型等の複雑な構成とする必要がなく、図１に示すように簡単な形状にすればよいため、より安価な光ヘッドとすることができる。これは、図２に示すホログラム素子２０の構成と、図３に示す光検出器４０の構成とを組み合わせることにより実現される。
【００８５】
また、本実施形態の構成では、ホログラム素子２０に形成された回折領域の全ての領域（２６１及び２６２）からの回折光に基づいてフォーカスエラー信号を生成するため、Ｓ／Ｎ比の観点から好ましい。
【００８６】
次に、本実施形態の光ヘッド装置におけるフォーカスエラー信号の検出方法について詳細に説明する。
【００８７】
まず、フォーカスエラー信号を検出するための動作について説明する。
【００８８】
図４（ａ）〜（ｅ）は、光ディスク１０の位置に対応して変化する光検出器４０上のスポット６０１ａ及び６０２ａの形状を示す。また、図５は、光ディスク１０の位置とフォーカスエラー信号との関係を示す。図５において、光ディスク１０の情報記録面に最小スポットが形成される状態、つまり合焦点状態を原点としており、状態（ｃ）と呼ぶ。状態（ｃ）を中心として、これに比べて光ディスク１０の位置の近い側から遠い側へと順に状態（ａ）〜（ｅ）を考えるとき、それぞれの状態におけるスポット６０１ａ及び６０２ａの形状が図４（ａ）〜（ｅ）に対応する。
【００８９】
まず、合焦点状態である状態（ｃ）の場合、スポット６０１ａは光検出領域４５１ａ及び光検出領域４５１ｂに同程度に分布するように位置する。同時に、スポット６０２ａは、光検出領域４５２ａ及び光検出領域４５２ｂに同程度に広がるように位置する。このため、Ａ（光検出領域４５１ｂからの信号）とＢ（光検出領域４５１ａからの信号）、及び、Ｃ（光検出領域４５２ａからの信号）とＤ（光検出領域４５２ｂからの信号）はそれぞれバランスがとれており、（式４）で表されるフォーカスエラー信号ＦＥは零となる。
【００９０】
合焦点状態（ｃ）よりも光ディスク１０が対物レンズ１２に近付いた状態（ｂ）の場合、近付いた距離に応じて、スポット６０１ａは、光検出領域４５１ａよりも光検出領域４５１ｂの側に偏った分布となるように移動する。同時に、スポット６０２ａは、光検出領域４５２ｂよりも光検出領域４５２ａの側に偏った分布となるように移動する（図４（ｂ）を参照）。
【００９１】
この結果、（式４）により表されるフォーカスエラー信号ＦＥは、マイナスの値となる。
【００９２】
更に光ディスク１０が対物レンズ１２に近付いて状態（ａ）になると、図４（ａ）に示す通り、スポット６０１ａの全体が光検出領域４５１ａに、スポット６０２ａの全体が光検出領域４５２ａに、それぞれ移動する。この状態のとき、フォーカスエラー信号ＦＥは最小値となる。
【００９３】
逆に、合焦点状態（ｃ）よりも光ディスク１０が対物レンズ１２から遠ざかった状態（ｄ）の場合、遠ざかった距離に応じて、スポット６０１ａは、光検出領域４５１ｂよりも光検出領域４５１ａの側に偏った分布となるように移動する。同時に、スポット６０２ａは、光検出領域４５２ａよりも光検出領域４５２ｂの側に偏った分布となるように移動する（図４（ｄ）を参照）。この結果、（式１）のフォーカスエラー信号ＦＥは、プラスの値となる。
【００９４】
更に光ディスク１０が対物レンズ１２から離れて状態（ｅ）になると、図４（ｅ）に示す通り、スポット６０１ａの全体が光検出領域４５１ａに、スポット６０２ａの全体が光検出領域４５２ｂに、それぞれ移動する。この状態のとき、フォーカスエラー信号ＦＥは最大値となる。
【００９５】
以上のように、光ディスク１０の対物レンズ１２に対する位置に応じて変化する信号として、フォーカスエラー信号ＦＥを得ることができる。ここで、フォーカスエラー信号ＦＥが最大値を取る位置と、最小値を取る位置との間隔、つまり、フォーカスエラー信号ＦＥの検出範囲は、ホログラム素子２０のコマ収差の量によって設定することができる。
【００９６】
尚、ＣＤ、ＤＶＤ及びＢＤのような規格の異なるディスクに対しても、光源としての半導体レーザを変更するのみで、同様の効果を得ることができる。
【００９７】
（第２の実施形態）
第１の実施形態において、ホログラム素子の２分割された２つの回折領域（図２における２６１及び２６２）の両方に、コマ収差を与えるパターンを形成する構成について説明した。しかし、一方の回折領域にのみコマ収差を与えるパターンを形成してもよい。背景技術の図１８の構成において発生する、波長シフト、組立公差等の誤差要因に対するフォーカスサーボ信号のオフセットについては、ホログラムパターンの片側の回折光にコマ収差を与える以下の形態とすることによっても低減できる。
【００９８】
以下には、本発明の第２の実施形態に係る例示的光ヘッド装置として、ホログラム素子の一方の回折領域にのみコマ収差を与えるパターンを形成する構成について、図面を参照して説明する。図６は、本実施形態の光ヘッド装置の要部を模式的に示す図である。
【００９９】
図６の光ヘッド装置の基本的な構成は、図１に示す第１の実施形態の光ヘッド装置と類似しており、ホログラム素子２０の回折領域が３分割されている点が相違する。図６において、図１と同じ構成要素には同じ符号を付すことにより詳しい説明を省略し、以下では主に異なる部分に関して説明する。
【０１００】
図７に示すように、ホログラム素子２０は、光線Ｌ０のほぼ中心（集光光学系の光軸）を通る位置であり且つＹ軸（トラック方向）に平行な直線２６０ａ及びＸ軸（ラジアル方向）に平行な直線２６０ｂにより３つに区画された回折領域２６１、回折領域２６３及び回折領域２６４を備えている。
【０１０１】
この一方、光検出器４０は、図８に示す通り、Ｙ方向に並ぶ光検出領域群４５１と、光検出領域４５２ｃと、光検出領域４５２ｄとを有している。更に、光検出領域群４５１は、Ｙ軸にほぼ平行な第１の分割線４６１を挟んで向かい合うように配置された光検出領域４５１ａ及び光検出領域４５１ｂを備えている。
【０１０２】
回折領域２６１の格子パターンは、第１の実施形態で説明したものと同様である。つまり、ここに入射する光ディスク１０からの戻り光が、光検出領域群４５１における第１の分割線４６１を跨いで（光検出領域４５１ａ及び４５１ｂに）入射するように回折させる格子パターンである。また、該格子パターンは、戻り光を回折させて、Ｙ方向のコマ収差をもって光検出領域群４５１に入射するスポット６０１ａを形成する。
【０１０３】
また、回折領域２６３の格子パターンは、ここに入射する光ディスク１０からの戻り光を回折させて、光検出領域４５２ｃ上にスポット６０３ａを形成する直線格子パターンである。
【０１０４】
また、回折領域２６４の格子パターンは、ここに入射する光ディスク１０からの戻り光を回折させて、光検出領域４５２ｄ上にスポット６０４ａを形成する直線格子パターンである。
【０１０５】
ここで、ホログラム素子の回折領域２６１による回折光にはコマ収差を与えているため、合焦状態においても受光素子上においてスポット６０１ａはある程度のスポット径をもつ。このため、波長シフト、組立公差等の誤差要因によりスポット位置がシフトした場合にも、急激な光検出信号の変化を抑制することができ、フォーカスサーボ信号のオフセットを低減できる効果がある。
【０１０６】
次に、本実施形態において、フォーカスエラー信号及びトラッキングエラー信号及びＲＦ信号は以下の演算により得られる。
【０１０７】
ＦＥ    ＝Ｂ−Ａ                        ……  （式８）
ＴＥDPD ＝phase （Ｂ，Ｄ'）−phase （Ａ，Ｃ'）  ……  （式９）
ＴＥPP  ＝（Ａ＋Ｂ）−（Ｃ'＋Ｄ'）      ……  （式１０）
ＲＦ＝Ａ＋Ｂ＋Ｃ'＋Ｄ'                  ……  （式１１）
ここで、Ａ，Ｂ，Ｃ'，Ｄ'は、図８に示す各光検出領域において検出される信号に対応する。具体的には、Ａは光検出領域４５１ｂ、Ｂは光検出領域４５１ａ、Ｃ'は光検出領域４５２ｃ、Ｄ'は光検出領域４５２ｄにおいて検出される信号である。フォーカスエラー信号を検出するための動作原理は、第１の実施形態で説明したものと同様であり、図４における光検出領域４５１ａ及び光検出領域４５１ｂの側のみによってフォーカスエラー信号が生成される。
【０１０８】
（式８）、（式９）、（式１０）から分かるように、再生用サーボ信号に必要なＦＥ信号、ＤＰＤ信号及びＰＰ信号を検出するための検出領域は、光検出領域４５１ａ、４５１ｂ、４５２ｃ及び４５２ｄの４個である。つまり、従来は６個から８個必要であったのに比べ、少ない領域数で同様の機能を実現できる。このため各々の検出領域に対して必要なアンプ回路を削減（場合によっては半減）でき、アンプノイズを低減すると共に回路オフセットも抑えることができ、良好な再生信号及びサーボ信号を得ることができる。また、使用する集積回路の回路規模も小さくでき、安価な光ヘッドが実現できる。
【０１０９】
また、良質なＲＦ信号を得るためには、使用する光源としての半導体レーザにおける放射角の広い方向が情報記録媒体のトラック方向と平行な方向になるように配置する必要がある。これに対し、本実施形態によれば、光源（半導体レーザ３０）及び光検出器４０の保持手段の構成をＬ字型等の複雑な構成とする必要がなく、図６に示すように簡単な形状で実現できるため、より安価な光ヘッドが実現できる。
【０１１０】
尚、ＣＤ、ＤＶＤ及びＢＤのような規格の異なるディスクに対しても、光源としての半導体レーザを変更するのみで、同様の効果を得ることができる。
【０１１１】
（第３の実施形態)
以下に、本発明の第３の実施形態に係る光ヘッド装置について、図面を参照して説明する。図９は、本実施形態の例示的光ヘッド装置の要部を模式的に示す図である。
【０１１２】
本実施形態の例示的光ヘッド装置は、情報記録媒体への記録・再生のためのトラッキングエラー信号としてＤＰＰ法を検出する。
【０１１３】
その基本的な構成は、図１に示す第１の実施形態の光ヘッド装置と類似しており、ホログラム素子２０が回折格子２４を更に備えている点において相違する。図９において、図１と同じ構成要素には同じ符号を付すことにより詳しい説明を省略し、以下では主に異なる部分に関して説明する。
【０１１４】
図９に示す通り、半導体レーザ３０から出射された光線Ｌ０は、ホログラム素子２０が備える回折格子２４により所望の比率に回折させられ、０次光であるメインビーム（Ｌ０ａ）と、±１次光であるＬ０ｂ及びＬ０ｃ（個別の図示は省略）とに分離される。これらのビームは、ホログラム素子２０の回折領域２６１及び２６２を透過した後、コリメートレンズ１１及び対物レンズ１２により、光ディスク１０の情報記録面上に集光される。更に、光ディスク１０により反射された反射光は、対物レンズ１２及びコリメートレンズ１１により半導体レーザ３０の発光点Ｐ０に収束する光に変換される。このように変換された光は、ホログラム素子２０に入射して回折領域２６１及び２６２により回折させられる。回折させられた光は光検出器４０に入射し、信号として検出される。ここで、回折格子２４は、回折領域２６１及び２６２による回折光が入射して更に回折を受けることの無いように大きさと位置とを設定されている。
【０１１５】
以上の構成によれば、光源からメインビームとサブビームとを生成し、それぞれ、フォーカスエラー信号と、再生・記録を可能とするトラッキングエラー信号とを得るために用いることができる。
【０１１６】
ここで、ホログラム素子２０が備える回折領域２６１及び２６２の構成については、図２と同様である。
【０１１７】
次に、本実施の形態における光検出器４０の構成について説明する。光検出器４０は、図１０に示す通り、Ｙ方向に並ぶ光検出領域群４５１及び光検出領域群４５２に加えて、更に、光検出領域群４５１及び４５２を挟んでＹ方向の両側に、光検出領域４５３ａ及び光検出領域４５３ｂと、光検出領域４５４ａ及び光検出領域４５４ｂとを有している。
【０１１８】
ここで、光検出領域群４５１及び４５２には、光ディスク１０からの戻り光のうちのメインビーム（Ｌ０ａ）が入射する。この際、ホログラム素子２０のパターンにコマ収差を与えているため、合焦状態においても、受光素子上においてスポット６０１ａ及びスポット６０２ａはある程度のスポット径をもつ。このため、波長シフト、組立公差等の誤差要因によりスポット位置がシフトした場合にも、急激な光検出信号の変化を抑制することができ、フォーカスサーボ信号のオフセットを低減できる効果がある。
【０１１９】
次に、光検出領域４５３ａ及び光検出領域４５３ｂは、Ｙ軸方向に並んで配置されている。同様に、光検出領域４５４ａ及び光検出領域４５４ｂは、Ｙ軸方向に並んで配置されている。これらの各光検出領域には、光ディスク１０からの戻り光のうちのサブビーム（Ｌ０ｂ及びＬ０ｃ）が入射する。
【０１２０】
該サブビームＬ０ｂは、ホログラム素子２０の回折領域２６１及び２６２によって回折させられる。回折領域２６１によって回折した光はスポット６０１ｂとして光検出領域４５３ａに入射し、また、回折領域２６２により回折させられた光はスポット６０２ｂとして光検出領域４５３ｂに入射する。
【０１２１】
同様に、サブビームＬ０ｃは、ホログラム素子２０の回折領域２６１及び２６２によって回折させられる。回折領域２６１により回折させられた光はスポット６０１ｃとして光検出領域４５４ａに入射し、また、回折領域２６２により回折させられた光はスポット６０２ｃとして光検出領域４５４ｂに入射する。
【０１２２】
次に、以上のような各光検出領域に入射する光に基づく、フォーカスエラー信号及びトラッキングエラー信号の検出方法について説明する。本実施形態の光ヘッド装置において、フォーカスエラー信号ＦＥとＤＰＤ法によるトラッキング信号ＴＥDPD とについては第１の実施の形態で説明した方法により、それぞれ（式４）及び（式５）の演算により算出する。また、トラッキングエラー信号として、ＤＰＰ法によるトラッキングエラー信号ＴＥDPP は、次の（式１２）、（式１３）、（式１４）の演算により生成される。
【０１２３】
ＴＥDPP ＝ＴＥMPP −ｋ・ＴＥSPP       ……  （式１２）
ここで、ＴＥMPP はメインビームのプッシュプル信号、ＴＥSPP はサブビームのプッシュプル信号であり、それぞれ次式にて与えられる。
【０１２４】
ＴＥMPP ＝（Ａ＋Ｂ）−（Ｃ＋Ｄ）      ……  （式１３）
ＴＥSPP ＝Ｅ−Ｆ                      ……  （式１４）
ここで、Ａ，Ｂ，Ｃ，Ｄ，Ｅ及びＦは、図１０に示す各光検出領域において検出される信号に対応する。具体的には、Ａは光検出領域４５１ｂ、Ｂは光検出領域４５１ａ、Ｃは光検出領域４５２ａ、Ｄは光検出領域４５２ｂにおいて検出される信号である。また、Ｅは、光検出領域４５３ａにおいて検出される信号と光検出領域４５４ａにおいて検出される信号との和であり、Ｆは、光検出領域４５３ｂにおいて検出される信号と光検出領域４５４ｂにおいて検出される信号との和である。また、ｋは定数であり、対物レンズ１２のシフトにより生じるＴＥDPP の変動が最小になるように最適化される。
【０１２５】
本実施の形態においても、ＦＥ信号とＤＰＤ信号とＭＰＰ信号を検出するための検出領域は光検出領域４５１ａ、４５１ｂ、４５２ａ及び４５２ｂの４個である。つまり、従来は６個から８個必要であったのに比べ、少ない領域数で同様の機能を実現できる。このため、第１の実施の形態において述べた効果を得ることができる。また、光源と光検出器の保持手段についても、第１の実施の形態で述べたのと同様の効果（Ｌ字型等にする必要が無く、簡単な形状であることからコストダウンを可能とする）を得ることができる。
【０１２６】
また、本実施形態の構成は、ホログラム素子に形成された回折領域の全ての領域からの回折光に基づいてフォーカスエラー信号を生成するため、Ｓ／Ｎ比の観点から好ましい。
【０１２７】
また、トラッキングエラー信号を生成するためのＴＥSPP は、光検出領域４５３ａ及び光検出領域４５３ｂのみ、又は、光検出領域４５４ａ及び光検出領域４５４ｂのみから得ることが可能である。しかしながら、上述のように、光検出領域４５３ａ、光検出領域４５４ａ、光検出領域４５３ｂ及び光検出領域４５４ｂの全てを利用するほうが、Ｓ／Ｎ比の観点からより好ましい。
【０１２８】
次に、以上のようなフォーカスエラー信号の検出方法によると、複数の情報記録層を有する光情報記録媒体にも対応可能であることを説明する。
【０１２９】
まず、２層の光情報記録媒体について説明する。図１１は、情報記録層８０１及び８０２を有する２層光情報記録媒体である光ディスク１０を用いて情報の記録・再生を行なう様子を示す模式図である。ここでは、対物レンズ１２から遠い側の情報記録層８０１に光の焦点が合った状態を示している。
【０１３０】
このとき、入射光は情報記録層８０１によって反射されるのとは別に、対物レンズ１２に近い側の情報記録層８０２によっても反射される。該情報記録層８０２による反射光の光強度分布は、情報記録層８０２における記録状態に応じて変調を受ける。また、情報記録層８０２による反射光は、非合焦状態にて反射されるものであるため、対物レンズ１２を透過しても平行光には変換されない。この結果、光検出器４０には、広がった状態の迷光として入射することになる。尚、このような非合焦状態である情報記録層８０２による反射光は、図１１において破線によりデフォーカス反射光Ｌｄとして示されている。
【０１３１】
次に、図１２（ａ）〜（ｃ）は、情報記録層８０２からのデフォーカス反射光Ｌｄが光検出器４０に入射した状態を示している。ここで、図１２（ａ）はデフォーカス反射光Ｌｄが全て情報記録層８０２の未記録領域８０２ｂにて反射された場合、図１２（ｂ）は反射光が情報記録層８０２の記録領域８０２ａ及び未記録領域８０２ｂの両方にて反射された場合、図１２（ｃ）は反射光が全て情報記録層８０２の記録領域８０２ａにて反射された場合を示す。尚、記録領域８０２ａにて反射された記録領域反射光Ｌｄａは、未記録領域８０２ｂにて反射された未記録領域反射光Ｌｄｂに比べて強度が低くなっており、これが図１２（ａ）〜（ｃ）の斜線部に相当する。
【０１３２】
ここで、トラッキングエラー信号の変動に関しては、光検出領域４５３ａ、光検出領域４５３ｂ、光検出領域４５４ａ及び光検出領域４５４ｂに入射するメインビーム由来の迷光が主たる原因である。そのため、このような迷光について図に示しており、サブビーム（Ｌ０ｂ及びＬ０ｃ）由来の迷光は省略している。また、情報記録層８０１による反射光についても図示は省略している。
【０１３３】
メインビーム由来の迷光は、ＴＥMPP を生成する光検出領域（光検出領域群４５１及び光検出領域群４５２）からはみ出し、ＴＥSPP を生成する光検出領域（光検出領域４５３ａ、光検出領域４５３ｂ、光検出領域４５４ａ及び光検出領域４５４ｂ）にまで入射している。
【０１３４】
通常、ＴＥSPP 信号を生成する光検出領域（光検出領域４５３ａ、光検出領域４５３ｂ、光検出領域４５４ａ及び光検出領域４５４ｂ）から検出される信号のアンプのゲインは、ＴＥMPP を生成する光検出領域（光検出領域群４５１及び光検出領域群４５２）から検出される信号のアンプのゲインよりも大きく設定されている。このため、従来、メインビーム由来の迷光はＴＥSPP に大きな影響を及ぼすものとなっていた。
【０１３５】
これに関し、図１３に、情報記録層８０２上において非合焦状態のスポットが記録領域と非記録領域との境界を跨いで通過する際のＴＥSPP 信号のオフセットについて示す。ここでは、比較例（背景技術）と、実施例（本実施形態）とを示している。図１３に示す通り、比較例では情報記録媒体における記録領域と非記録領域との境界を跨いでスポットが通過した場合にＴＥSPP 信号が変動するのに対し、本実施形態の場合、ほとんど変化することなく安定したトラッキングエラー信号を生成している。
【０１３６】
これは、本実施形態の場合、デフォーカス光が記録領域と非記録領域との境界を跨ぐ際にも、ＴＥSPP 信号を生成する光検出領域４５３ａと光検出領域４５３ｂとにおいて、また、光検出領域４５４ａと光検出領域４５４ｂとにおいて、その変動が相殺されるためである。
【０１３７】
つまり、光検出領域４５３ａと光検出領域４５３ｂとは、Ｙ軸方向に並んで配置されている。このため、記録領域８０２ａによる反射光であることから強度の弱まった記録領域反射光Ｌｄａが入射したとしても、光検出領域４５３ａと光検出領域４５３ｂとにおいて信号の変化は互いにほぼ等しい。よって、それらの信号の差動であるＴＥSPP 信号が変化することはない。
【０１３８】
同様に、光検出領域４５４ａと光検出領域４５４ｂとは、Ｙ軸方向に並んで配置されている。このため、記録領域８０２ａによる反射光であることから強度の弱まった記録領域反射光Ｌｄａが入射したとしても、光検出領域４５４ａと光検出領域４５４ｂとにおいて信号の変化は互いに等しい。よって、それらの信号の差動であるＴＥSPP 信号が変化することはない。
【０１３９】
以上の結果として、情報記録層８０２において非合焦状態のスポットが記録領域８０２ａと未記録領域８０２ｂとの境界を跨いで通過する際にも、ＴＥSPP 信号に変動が生じることはなく、トラッキングエラー信号を安定して検出することができる。
【０１４０】
尚、以上では、記録領域が未記録領域に比べて低い反射率を有する記録媒体であるものとして説明した。しかし、これとは逆に、記録領域が未記録領域に比べて高い反射率を有する記録媒体であっても良い。この場合、図１２（ａ）〜（ｃ）において、斜線部が光強度の強い領域を表すものと考えればよい。
【０１４１】
（第４の実施形態）
第３の実施形態において、ホログラム素子の２分割された２つの回折領域の両方にコマ収差を与えるパターンを形成する構成について説明した。しかし、一方の回折領域にのみコマ収差を与えるパターンを形成してもよい。背景技術の図１８の構成において発生する、波長シフト、組立公差等の誤差要因に対するフォーカスサーボ信号のオフセットについては、ホログラムパターンの片側の回折光にコマ収差を与える以下の形態とすることによっても低減できる。
【０１４２】
以下には、本発明の第４の実施形態に係る例示的光ヘッド装置として、ホログラム素子の一方の回折領域にのみコマ収差を与えるパターンを形成する構成について、図面を参照して説明する。図１４は、本実施形態の光ヘッド装置の要部を模式的に示す図である。
【０１４３】
図１４の光ヘッド装置の基本的な構成は、図９に示す第３の実施形態の光ヘッド装置と類似しており、ホログラム素子２０の回折領域が３分割されている点が相違する。図１４において、図９と同じ構成要素には同じ符号を付すことにより詳しい説明を省略し、以下では主に異なる部分に関して説明する。
【０１４４】
本構成においても、回折格子２４により光源からメインビームとサブビームとを生成し、それぞれフォーカスエラー信号と、再生・記録を可能とするトラッキングエラー信号とを得るために用いることができる。尚、ホログラム素子２０の構成は図７と同様である。
【０１４５】
次に、本実施形態における光検出器４０の構成について説明する。光検出器４０は、図１５に示す構成を有する。光検出器４０は、図８に示すのと同様のＹ方向に並ぶ光検出領域群４５１と、光検出領域４５２ｃと、光検出領域４５２ｄとに加えて、更に、これらを挟んでＹ方向の両側に、光検出領域４５３ａ及び光検出領域４５３ｂと、光検出領域４５４ａ及び光検出領域４５４ｂとを有している。
【０１４６】
光検出領域群４５１、光検出領域４５２ｃ及び光検出領域４５２ｄには、光ディスク１０からの戻り光のうちのメインビーム（Ｌ０ａ）が入射する。
【０１４７】
ここで、ホログラム素子の回折領域２６１による回折光にはコマ収差を与えているため、合焦状態においても受光素子上においてスポット６０１ａはある程度のスポット径をもつ。このため、波長シフト、組立公差等の誤差要因によりスポット位置がシフトした場合にも、急激な光検出信号の変化を抑制することができ、フォーカスサーボ信号のオフセットを低減できる効果がある。
【０１４８】
次に、光検出領域４５３ａと光検出領域４５３ｂとは、Ｙ軸方向に並んで配置されており、同様に、光検出領域４５４ａと光検出領域４５４ｂとは、Ｙ軸方向に並んで配置されている。これらの各光検出領域には、光ディスク１０からの戻り光のうちのサブビーム（Ｌ０ｂ及びＬ０ｃ）が入射する。
【０１４９】
サブビームＬ０ｂは、ホログラム素子２０の回折領域２６１、２６３及び２６４によって回折させられる。回折領域２６１により回折させられた光はスポット６０１ｂとして光検出領域４５３ａに入射し、回折領域２６３により回折させられた光はスポット６０３ｂとして光検出領域４５３ｂに入射し、回折領域２６４により回折させられた光はスポット６０４ｂとして光検出領域４５３ｂに入射する。
【０１５０】
同様に、サブビームＬ０ｃは、ホログラム素子２０の回折領域２６１、２６３及び２６４によって回折させられる。回折領域２６１により回折させられた光はスポット６０１ｃとして光検出領域４５４ａに入射し、回折領域２６３により回折させられた光はスポット６０３ｃとして光検出領域４５４ｂに入射し、回折領域２６４により回折させられた光はスポット６０４ｃとして光検出領域４５４ｂに入射する。
【０１５１】
次に、以上のような各光検出領域に入射する光に基づく、フォーカスエラー信号及びトラッキングエラー信号の検出方法について説明する。本実施形態の光ヘッド装置において、フォーカスエラー信号ＦＥとＤＰＤ法によるトラッキング信号ＴＥDPD とについては、第２の実施の形態で説明した方法に基づき、それぞれ（式８）及び（式９）の演算により算出する。また、トラッキングエラー信号として、ＤＰＰ法によるトラッキングエラー信号ＴＥDPP は、第３の実施の形態で説明した方法に基づき、（式１２）、（式１４）及び以下の（式１５）の演算により生成される。
【０１５２】
ＴＥMPP ＝（Ａ＋Ｂ）−（Ｃ'＋Ｄ'）      ……  （式１５）
ここで、Ａは光検出領域４５１ｂ、Ｂは光検出領域４５１ａ、Ｃ'は光検出領域４５２ｃ、Ｄ'は光検出領域４５２ｄにおいて検出される信号である。
【０１５３】
尚、トラッキングエラー信号を生成するためのＴＥSPP は、光検出領域４５３ａ及び光検出領域４５３ｂのみ、又は、光検出領域４５４ａ及び光検出領域４５４ｂのみから得ることが可能である。しかしながら、上述のように、光検出領域４５３ａ、光検出領域４５４ａ、光検出領域４５３ｂ及び光検出領域４５４ｂの全てを利用するほうが、Ｓ／Ｎ比の観点からより好ましい。
【０１５４】
本実施の形態においても、ＦＥ信号とＤＰＤ信号とＭＰＰ信号を検出するための検出領域は、光検出領域４５１ａ、４５１ｂ、４５２ａ及び４５２ｂの４個である。つまり、従来は６個から８個必要であったのに比べ、少ない領域数で同様の機能を実現できる。このため、第１の実施の形態において述べた効果を得ることができる。また、光源と光検出器の保持手段についても、第１の実施の形態で述べたのと同様の効果（Ｌ字型等にする必要が無く、簡単な形状であることからコストダウンを可能とする）を得ることができる。
【０１５５】
また、本実施形態においても、複数の情報記録層を有する光情報記録媒体にも対応可能である。これを以下に説明する。
【０１５６】
図１６は、情報記録層８０２からのメインビームのデフォーカス反射光Ｌｄが光検出器４０に入射した状態を示している。ホログラム素子２０の回折領域２６３及び回折領域２６４で回折されたメインビームのデフォーカス反射光も、回折領域２６１で回折されたメインビームのデフォーカス反射光と同様に、サブビームを受光する光検出領域４５３ａ、光検出領域４５３ｂ、光検出領域４５４ａ及び光検出領域４５４ｂを覆うように入射する。
【０１５７】
サブビームを受光する光検出領域４５３ａ、光検出領域４５３ｂ、光検出領域４５４ａ及び光検出領域４５４ｂの配置は、第３の実施形態の場合（図１０を参照）と同様の配置である。このため、第３の実施形態において説明したものと同様の理由により、記録領域と未記録領域に起因する光量の強弱がデフォーカス反射光に発生したとしても、安定したトラッキングエラー信号を得ることができる。
【産業上の利用可能性】
【０１５８】
本発明の光ヘッド装置、光情報装処理装置及びフォーカスエラー信号検出方法によると、安価でかつ高品質なサーボ信号を得ることができるため安定した再生あるいは記録が可能であり、光情報記録媒体を用いた情報の再生・記録、特に、コンピュータのデータやプログラムの保存、カーナビゲーションの地図データの保存等の用途にも応用できる。
【符号の説明】
【０１５９】
１０            光ディスク
１１            コリメートレンズ
１２            対物レンズ
２０            ホログラム素子
２４            回折格子
３０            半導体レーザ
４０            光検出器
２６０ａ、２６０ｂ                  直線
２６１、２６２、２６３、２６４      回折領域
４５１            光検出領域群
４５１ａ          光検出領域
４５１ｂ          光検出領域
４５２            光検出領域群
４５２ａ          光検出領域
４５２ｂ          光検出領域
４５２ｃ          光検出領域
４５２ｄ          光検出領域
４５３ａ          光検出領域
４５３ｂ          光検出領域
４５４ａ          光検出領域
４５４ｂ          光検出領域
４６１            第１の分割線
４６２            第２の分割線
６０１ａ          スポット
６０１ｂ          スポット
６０１ｃ          スポット
６０２ａ          スポット
６０２ｂ          スポット
６０２ｃ          スポット
６０３ａ          スポット
６０３ｂ          スポット
６０３ｃ          スポット
６０４ａ          スポット
６０４ｂ          スポット
６０４ｃ          スポット
７４１            保持手段
８０１            情報記録層
８０２            情報記録層
８０２ａ          記録領域
８０２ｂ          未記録領域
【図１】
2011086337.tif 000003
【図２】
2011086337.tif 000004
【図３】
2011086337.tif 000005
【図４】
2011086337.tif 000006
【図５】
2011086337.tif 000007
【図６】
2011086337.tif 000008
【図７】
2011086337.tif 000009
【図８】
2011086337.tif 000010
【図９】
2011086337.tif 000011
【図１０】
2011086337.tif 000012
【図１１】
2011086337.tif 000013
【図１２】
2011086337.tif 000014
【図１３】
2011086337.tif 000015
【図１４】
2011086337.tif 000016
【図１５】
2011086337.tif 000017
【図１６】
2011086337.tif 000018
【図１７】
2011086337.tif 000019
【図１８】
2011086337.tif 000020
【図１９】
2011086337.tif 000021
【図２０】
2011086337.tif 000022
【図２１】
2011086337.tif 000023
【図２２】
2011086337.tif 000024
【図２３】
2011086337.tif 000025
【図２４】
2011086337.tif 000026
【図２５】
2011086337.tif 000027